(57)【要約】      （修正有）【課題】簡便かつ容易に装着使用ができて、しかも、静脈を締め付け過ぎることの無い、血流の停滞が少ない適正な押圧状態が表示できる押圧力表示付止血用具を提供する。【解決手段】長方形の可撓性の押え板１の中央位置に突出部からなる押圧部３が形成された構造からなり、押え板の長手方向の中央付近又は端部で結合している目安板２であって、その周縁の一端部または両端部より直角方向に伸びる側壁部分に標識２１が設けられており、可撓性押え板の撓み位置と目安板の標識位置のずれの間隔により押圧力を表示する構造からなることを特徴とする。【選択図】図１
0003190161.tif 000002
【実用新案登録請求の範囲】
【請求項１】
長方形の可撓性の押え板の中央位置に突出形態からなる押圧部が形成された構造からなり、押え板の長手方向の中央付近または端部に目安板が結合されていて、その周縁の一端部または両端部より直角方向に伸びる側壁部分に標識が設けられており、可撓性押え板の撓み位置と目安板の標識位置のずれの間隔により押圧力を表示する構造からなることを特徴とする押圧力表示付止血用具。
【請求項２】
長方形の可撓性の押え板に目安板が、一体にまたは別体として結合されていることを特徴とする請求項１に記載の押圧力表示付止血用具。
【請求項３】
突出形態からなる押圧部が、円柱形状、円錐形状、または多角形状であり、一体成形または別体成形により形成されていることを特徴とする請求項１に記載の押圧力表示付止血用具。
【請求項４】
突出形態の先端部に緩衝層が配置されてなる押圧部が形成されてなる構造からなることを特徴とする請求項１または３に記載の押圧力表示付止血用具。
【請求項５】
緩衝層が、エラストマー樹脂、軟性軟質プラスチック、柔軟性軟質ゴム、ゴムスポンジ、樹脂発泡体、布または圧縮綿からなる滑り止め材料または緩衝性材料であることを特徴とする請求項４に記載の押圧力表示付止血用具。
【請求項６】
緩衝層が粘着性であるかまたは緩衝層の表面に粘着性を有する樹脂層又はエラストマー層が配置されていることを特徴とする請求項４又は５に記載の押圧力表示付止血用具。
【請求項７】
長方形の可撓性の押え板の長手方向の両端部には、押圧力表示付止血用具の固定部材を連結する為の穴が設けられていることを特徴とする請求項１又は２に記載の押圧力表示付止血用具。
【請求項８】
固定部材が伸縮性のない面ファスナーのみであることを特徴とする請求項７に記載の押圧力表示付止血用具。
【請求項９】
長方形の可撓性の押え板がプラスチック材料製の柔軟な撓み性の薄板であることを特徴とする請求項１、２、７のいずれか１項に記載の押圧力表示付止血用具。
【考案の詳細な説明】
【技術分野】
【０００１】
本発明は、人工透析等の終了後、腕のシャント静脈に刺した穿刺孔からの出血を、腕の血流を停滞させることなく、簡便且つ容易に、そして身体に負担をかけず安全に適正な押圧により抑える状態が容易に表示できる押圧力表示付止血用具に関する。
【背景技術】
【０００２】
初期の止血帯もしくは止血帯具としては、穿刺傷部分にガーゼや脱脂綿を当て、その上から指により圧迫するか、もしくはガーゼ等の上に絆創膏を貼ってガーゼ等を固定し、その上から指により圧迫する圧迫止血手段や粘着テープにより圧迫止血手段が最も一般的である。
しかし、止血に長時間かかる、例えば、人工透析の場合、終了時、腕に刺した２ヶ所の針穴からの出血を止めるために、ガーゼ等の処理の上から通常は指で１０分程度押さえつけ止血をする必要がある。２本の指等で押さえつけるので、特に高齢な患者にとっては、苦痛な作業であり、長い時間であった。
【０００３】
この押さえつけて止血する指に代わる止血手段が種々提供されている。
例えば、指により圧迫する代わりに重石（５００〜１０００ｇの砂嚢）を載せて圧迫し、これを絆創膏で固定する絆創膏止血手段が公知である（例えば、特許文献１参照）。
しかし、この方法では、重石の固定が必ずしも確実に行なわれないため、止血が十分に行なわれないという問題に加えて、絆創膏による患部の痒み、痛み、カブレといったトラブルが生じる場合があることは良く知られている。
【０００４】
また、絆創膏に代えて伸縮性止血帯を使用する伸縮性包帯止血手段が公知である（例えば、特許文献２参照）。しかしながら、この方法では伸縮性止血帯を、穿刺傷部分にガーゼ等を当てた上から巻きつけるため、面倒かつ煩雑であって本人自身では簡単にかつ容易に巻きつけられるものではなく、通常は看護士さんに止血帯を巻きつけてもらう煩雑さがある。さらには、穿刺傷部分に対して、全周方向に押圧力が分散されるため、止血の効果が十分に達成できないばかりか、圧迫が十分でないこともあって熟練を要する。さらに伸縮性止血帯にコストがかかるといった問題がある。こういった不具合を解決するために、種々の止血ベルトによる手段が提案されている。例えば、剛性部材の裏面に押圧部を形成した垂直方向から押圧する画期的な止血用具が提案されている（例えば、特許文献３参照）。
【０００５】
しかしながら、剛性部材の裏面に押圧部を形成した止血用具は、医療現場に於いて、どの程度の押圧により止血すべきか容易に決めることが難しく、押圧を定量的に識別することが非常に難しいという、いわゆる取り扱いに苦慮する場合がある。
【０００６】
いまだ透析患者にとって真に満足できるような簡便で、しかも押圧などが身体に優しい止血用具であるとはいえない為に、簡便且つ容易に、そして穿刺孔付近を適正に押圧し、それ以外の身体部分には無用な力や、負担をかけず、しかも透析現場の看護の煩雑さにもかかわらず、患者個人の状態に応じて、安全に患部だけを押圧用具により適正な押圧により抑えた状態が容易に表示、標識および確認できる止血用具が望まれている。
【先行技術文献】
【特許文献】
【０００７】
【特許文献１】特開昭６０−９２７４６号公報
【特許文献２】特開昭６０−１９８１３９号公報
【特許文献３】実用新案登録第３１８２２３７号公報
【考案の概要】
【考案が解決しようとする課題】
【０００８】
血管に透析針を長時間穿刺した後にできる穿刺傷部分からの出血を、苦痛無く、簡便且つ容易に、そして迅速且つ確実に抑えることができるという構造に於いて、穿刺傷部分だけを適正に押圧して、しかもそれ以外の身体部分には負担をかけることがなく、しかも適正に押圧して止血をすることが簡単な構造によって容易に適正な押圧を表示することができ、しかも容易に確認することができる、即ち、患者個人の状態に応じて、安全に患部だけを押圧用具により適正な押圧により抑えた状態が容易に表示、標識および確認できるという、いわゆるセンサー機能を備えることにより止血用具の課題を解決することにある。
【課題を解決するための手段】
【０００９】
上記の目的を達成する本考案の止血用具の概要は、一枚の剛性板体からなる押え材であって、板体の中心部分に突出部が設けられ、その突出形態の先端に滑り止や緩衝の役割を果たす保護層が配置された押圧部が形成されている構造からなる止血用具とすることにより、腕と押え板の間に空間が形成確保されて、腕の側面から押圧されることはなく、専ら剛性板の適度な弾力による押圧部からの適正な押圧力を受けることを表示且つ確認しながら利用するものである。そのため、指の動作と同様、穿刺傷部分の皮膚面に対して直角方向から押すという、通常上からのみ止血動作を行なうものであり、静脈血流の停滞による悪影響を解消することができるものである。また、押圧部により穿刺傷部分に過剰のまたは無用な押圧や負担がかからないように、現場で容易に押圧が表示および秤量できる為の押圧表示ができる構造にすることにより、患者の負担や、労力、不安を軽減して、更には、安全を高めるという、医療現場の作業の安全性および煩雑性を軽減することができることを特徴とするものである。
【００１０】
本考案は、上記の課題を解決する為に、詳細に以下の手段を採ることを特徴とするものである。
本考案の第１の特徴点は、長方形の可撓性の押え板の中央位置に突出形態からなる押圧部が形成された構造からなり、押え板の長手方向の中央付近または端部に目安板が結合されていて、その周縁の一端部または両端部より直角方向に伸びる側壁部分に標識が設けられており、可撓性押え板の撓み位置と目安板の標識位置のずれの間隔により押圧力を表示する構造からなることを特徴とする押圧力表示付止血用具、にある。
本考案の第２の特徴点は、長方形の可撓性の押え板に目安板が、一体に形成されているか、または別体として結合されていることを特徴とする押圧力表示付止血用具、にある。
【００１１】
本考案の第３の特徴点は、突出形態からなる押圧部が、円柱形状、円錐形状、または多角形状であり、一体成形または別体成形により形成されていることを特徴とする押圧力表示付止血用具、にある。
本考案の第４の特徴点は、その突出形態の先端部に緩衝層が配置されてなる押圧部が形成されてなる構造からなることを特徴とする押圧力表示付止血用具、にある。
本考案の第５の特徴点は、緩衝層がエラストマー樹脂、柔軟性軟質プラスチック、柔軟性軟質ゴム、ゴムスポンジ、樹脂発泡体、布または圧縮綿からなる滑り止め材料または緩衝性材料であることを特徴とする押圧力表示付止血用具、にある。
【００１２】
本考案の第６の特徴点は、緩衝層はそれ自体が粘着性であるか、または緩衝層の表面に粘着性を有する樹脂層又はエラストマー層が配置されていることを特徴とする押圧力表示付止血用具、にある。
本考案の第７の特徴点は、長方形の可撓性の押え板の長手方向の両端部には押圧力表示付止血用具の固定部材を連結する為の穴が設けられていることを特徴とする押圧力表示付止血用具、にある。
本考案の第８の特徴点は、固定部材が面ファスナーであることを特徴とする押圧力表示付止血用具、にある。
本考案の第９の特徴点は、長方形の可撓性の押え板がプラスチック材料製の柔軟な撓み性の薄板であることを特徴とする押圧力表示付止血用具、にある。
以下において、「押圧力表示付止血用具」を、「圧力センサー付止血用具」とも表示する。
【考案の効果】
【００１３】
本願考案の押圧力表示付止血用具は、指の動作と同様、押圧部から穿刺孔の上からのみの押圧力により止血動作を行なうものであるため、血管を最適に締め付けることで、静脈の血流への影響が極めて少ない簡便かつ携行可能な身体に負担をかけず安全に確実に止血ができる止血用具である。そのため、人工透析の穿刺傷部分からの出血を、苦痛無く、簡便且つ容易に、そして熟練した医療従事者ではない初心者であっても、迅速且つ確実に抑えることができると共に、押圧部により穿刺傷部分に過剰のまたは無用な押圧や負担がかからないように、医療現場で容易に押圧を感知および表示できる為の構造にすることにより、患者の負担や、労力、不安を軽減して、更には、安全を高めることが出来、一方で、医療スタッフの医療現場の作業の安全性、省力化および煩雑性を軽減することができることを特徴とするものである。
また、本考案の押圧力表示付止血用具は、構造がシンプルなため、製造にコストがかからず安価である。
【図面の簡単な説明】
【００１４】
【図１】本考案の一体型の圧力センサー付止血用具の展開図を示す。図１の（ａ）は平面図。（ｂ）は正面図。（ｃ）は右側面図。（ｄ）は下面図。
【図２】本考案の一体型の圧力センサー付止血用具に固定部材である面ファスナーと保護板を装着した状態を示す模式図。
【図３】本考案の一体型の圧力センサー付止血用具を被着体に装着した状態における撓みを示す模式図。
【図４】本考案の別体型の圧力センサーの図面。図４の（ａ）は平面図。（ｂ）は正面図。（ｃ）は右側面図。（ｄ）は下面図。
【図５】本考案の別体型の圧力センサー付止血用具における押え板の図面。図５の（ａ）は平面図。（ｂ）は正面図。（ｃ）は右側面図。
【図６】本考案の別体型の圧力センサーと押え板を結合させた図面。図６の（ａ）は平面図。（ｂ）は正面図。（ｃ）は右側面図。（ｄ）は下面図。
【図７】本考案の別体型の圧力センサー付止血用具を被着体に装着した状態における撓みを示す模式図。
【図８】本考案の他の実施態様の別体型の圧力センサーの図面。図８の（ａ）は平面図。（ｂ）は正面図。（ｃ）は右側面図。
【図９】本考案の他の実施態様の別体型の圧力センサーと押え板を結合させた図面。図９の（ａ）は平面図。（ｂ）は正面図。（ｃ）は右側面図。
【図１０】本考案の他の実施態様の別体型の圧力センサー付止血用具を被着体に装着した状態における撓みを示す模式図。
【考案を実施するための形態】
【００１５】
次に、圧力センサー付止血用具に係わる本考案の実施形態を、図面を参考にして詳細に説明をする。本考案の図１、図２に基づく圧力センサー付止血用具は、押え板（１）と目安板（２）とが、一体になった一枚のシートを加工することにより製造される、いわゆる「一体型」のものと、押え板（１）と目安板（２）とをそれぞれを別々に加工したものを合体させた、いわゆる「別体型」のものがある。
まず一体型の構造のものを示すと、図１の圧力センサー付止血用具に示すとおり、長方形の可撓性の押え板（１）の中央位置に円柱形状突出部からなる押圧部（３）が形成された構造からなり、押え板の長手方向の中央付近には破線で示す周縁（１１）で結合している目安板（２）が押え板（１）の長手方向の端辺部分に設けられていて、他の部分は切り欠き部（１２）が形成されている。押え板（１）と目安板（２）とが切り欠き部（１２）の空間を介して相対的な動きができるような構造になっている。図１、２に示すとおり、目安板（２）は、破線で示す周縁（１１）の破線部で押え板に対して直角に折り曲げることにより、周縁（１１）の一端部または両端部より、垂直方向に伸びる側壁部分に標識（２１）が形成されている。
なお、押え板（１）の長手方向の両端部には、止血用具を取り付けに便利な固定用スリット（１３）が設けられていることが好ましい。
【００１６】
この目安板（２）は、押圧部（３）の位置を起点にして左右対称になるような長さに設けられており、その両端には標識位置（２１）が左右対称になるように２個設けられた、図１（ｂ）の構造を有する。目安板（２）には標識（２１）が形成されており、例えば、押圧力（ΔＰ）の程度を順次示す、赤、黄、青のような表示、５段階の数字による表示、弱、中、強のような文字による表示のように、任意の手段で標識（２１）部を形成する。また、危険段階を危、と表示することもできる。
この押圧力（ΔＰ）の定量的な表示は、押え板（１）を構成する、材料の種類、厚さ、および幅の程度により決まるものであり、設計段階で考慮して決めるものである。
【００１７】
止血用具を各方向から見た詳細な構造は、押え板（１）の裏面に押圧部（３）を設けた状態を見た背面図が、図１（ｄ）である。この図１（ｄ）は、押圧部（３）を円錐または円柱台形にした場合の状態を示すものである。同様に長手方向側面図が図１（ｃ）に示すとおりの構造を有する。
押え板（１）および目安板（２）の長手方向の寸法は、原則同じ寸法であることが好ましいが、取り扱いの利便性、デザイン的な外観から、目安板（２）の長さは押え板（１）の寸法は、角隅切り程度に若干短くすることが好ましい。押え板（１）および目安板（２）の幅、長さ、および厚は、所定の押圧力を発生させるために、それを構成する材料の性質、強度、種類等を考慮して決める設計変更の範囲内のことである。
図２に示すような、止血用具に、プロテクター（保護板）（７）を取り付け保護することも任意に採用できる。この場合には、プロテクター（保護板）（７）の固定は任意に固定手段を採用できるが、好ましくは面ファスナー（６）を、図２（ｃ）に示すように、プロテクター（保護板）（７）に設けたスリットを潜らせて押え板（１）と略平行に腕のような被着体を上下から挟む構造が好ましい。この上下からのサンドイッチは、面ファスナー（６）により被着体に対して局部的に加わる無用な圧を適度に分散する機能を有することになり、好ましい態様である。特に被着体を上下にサンドイッチ状に挟む場合に、血行の障害にもなりかねない横方向からの押圧は不要であり、横方向圧を軽減するということからすると、本考案の構造はそのような止血において有益に機能を果たす構造である。
【００１８】
押え板（１）と目安板（２）とが切り欠き部（１２）の空間を介して相対的な動きの状態を図３に示すとおり、可撓性押え板（１）の撓み位置と目安板（２）に形成されている標識位置（２１）のずれの間隔（Δｌ）（Δエル）の値により押圧力（ΔＰ）を定量的に表示する構造からなる押圧力表示付止血ベルトである。
図１の圧力センサー付止血用具は、押え板（１）の長手方向の両端辺部に対して、一端に目安板（２）を対に設けた場合であるが、目安板（２）を一方だけに設けた場合にもその表示機能を果たすので、本考案の止血用具の設計変更の範囲内である。
この圧力センサー付止血用具は、押え板（１）の長手方向の両端部に目安板（２）を対に二枚設けた場合においてもその表示機能を果たすので、各方向から見やすいという有利な点があり、本考案の設計変更の範囲内であって、本考案の技術範囲に属する。
【００１９】
押え板（１）の寸法、規模は、縦２０〜４５ｍｍ程度、好ましくは３５ｍｍであり、横７０〜１５０ｍｍ程度、好ましくは１１０ｍｍ、厚さは０．３〜３ｍｍ程度あれば適応できる。破線の折り曲げ部（１１）の長さは、２０〜４０ｍｍ程度、好ましくは３０ｍｍ程度が好ましい。切り欠き部（１２）は、幅０．５〜２ｍｍ程度、横２０〜４５ｍｍ程度、好ましくは３５ｍｍである。目安板（２）の寸法は、縦７〜１５ｍｍ程度、好ましくは１０ｍｍ、横９０〜１２０ｍｍ程度、好ましくは１１０ｍｍである。押え板（１）に形成される円柱形状突出形態からなる押圧部（３）の大きさは、円柱形の例で見ると、円柱の直径は２０〜３５ｍｍ程度、好ましくは３３ｍｍ程度である。円柱の高さは２〜１０ｍｍ程度、好ましくは４ｍｍである。円錐形状の例では、底辺の直径は２５〜４３ｍｍ程度、好ましくは３０ｍｍであり、円錐形上面の直径は１５〜２５ｍｍ程度、好ましくは２０ｍｍ程度である。円錐形状の高さは１〜５ｍｍ程度、好ましくは２ｍｍである。角型形状の場合も、この寸法でほぼ対応できる。これらの寸法は、押え板（１）の材質を如何なる材料にするか、厚さをどの程度に設計するかにより変わる要素を持っている。
【００２０】
次に、「別体型」の構造のものを示すと、図４、図５に基づく圧力センサー付止血用具は、長方形の押え板（１）の部品と、その押え板（１）と長さがほぼ一致する長方形の目安板（４２）を備えた結合部（４）からなる部品を別々に加工することにより製造され、その二つの部品を図６に示すように組み立てることにより製作する、いわゆる別体型のものである。この別体型の止血用具を使用する状態が、図７の圧力センサー付止血用具の断面図に示すとおり、長方形の可撓性の押え板（１）の中央位置に円柱状突出部からなる押圧部（３）が形成された構造からなる。
別体型取り付け具は、目安板（４２）を、好ましくは板状からなる結合部（４）の一端部または両端部を有する構造のものであって、図４（ａ）に見るような、目安板（４２）が結合部（４）の板面に対して、垂直になるようにＬ字形に加工された構造のものであり、背面から見ると、図４（ｄ）に示すとおりの構造を有し、長手方向の側面から見れば、図４（ｃ）に示すような構造を有する。
取り付ける場合には、押え板（１）に結合部（４）が重なるように配置して結合することにより固定する。目安板（４２）には、その直角方向に伸びる側壁部分の端部に標識（４１）が一端に、又は両端に任意に形成されている図４（ｂ）に示す構造を有する。上記の結合部（４）は押え板（１）から容易に離反しないように、例えば、ネジ孔（４３）を設けて、ネジなどの固着具により容易に接合する。固着具としては、ネジ以外にも接着剤、融着、錨等と、材料に適合する任意の固着手段を用いても良い。
【００２１】
本考案の押圧力表示付止血用具の一端部または両端部より直角方向に伸びる側壁部分に標識が設けられており、可撓性押え板（１）の撓み位置と目安板の標識（４１）の位置ずれの間隔の相対量により押圧力を表示する構造からなる、別体型の別態様の例を図８、図９に基づいて示す。
これは、別体型取り付け具は、図８に示すような、目安板（４２）の一端寄りに結合部（４）が設けられており、目安板（４２）の結合部（４）の反対側には、標識（４１）が表示される突起が、目安板（４２）に対して直行方向に設けられたＬ字型の構造からなる。この目安板（４２）は、標識（４１）部が取り付けられた板状の標識保持部および、押え板（１）に固定するための結合部（４）から構成されている。
この結合部（４）は、押え板（１）の長手方向の端部寄りに固定具（４３）により固定される。図８（ａ）は平面図であり、図８（ｂ）は側面図であり、図８（ｃ）は背面図である。
別体型取り付け具を押え板（１）の端部寄りに取り付けた状態の平面図が、図９（ａ）であり、図９（ｂ）は側面図であり、図９（ｃ）は背面図である。
この止血用具を使用する状態が、図１０に示す。別体型の押え板（１）部品の端寄りに、目安板（４２）の部品の端部に相当する結合部（４）という端部分だけで固定した構造の状態において、可撓性の押え板（１）の長手方向の端部に面ファスナー（６）のような張力発生具により引き圧が加わると、結合部（４）を起点にして、湾曲しない目安板（４２）に設けられている標識（４１）を構成する突起部が、湾曲した押え板（１）より相対的に離反するために、その離反の状態が標識（４１）によって、押圧の程度を表示するという構造からなるものである。
【００２２】
図３及び図７に示すとおり、可撓性押え板（１）の撓み位置と目安板（４２）の標識位置のずれの間隔（Δｌ）（Δエル）の値の表示により押圧力（ΔＰ）を定量する構造からなる押圧力表示付止血用具である。この場合に、押え板（１）の材料および厚さに応じた、押え板（１）の撓み量（Δｌ）と押圧力（Ｐ）の関係を予め秤量して決めておき、撓みにより生じる最も適正な押圧力（Ｐ）を予め決めておき、撓み量（Δｌ）に応じた適正な押圧力（Ｐ）の関係が容易に標識できるように、標識（２１、４１）部に押圧力（Ｐ）のレベルを印字または刻印により表示することにより、容易に照合できるようにすることが好ましい。
【００２３】
円柱形状突出形態からなる押圧部（３）の形成は、予め押え板（１）の加工段階で、同時に慣用の成形手段により一体加工するか、または予め円柱形状突出形態からなる押圧部（３）を別体加工しておき、その加工品を押え板（１）の裏面に貼り付ける別体成形により、任意に加工することができる。
詳細には、この円柱形状突出形態から構成される押圧部（３）が円錐形状、円柱状、四辺形状、多角形状、台形というような任意の形態のものが採用できるが、円柱形状が最も適している。この円柱形状突出形態の成形は、押え板（１）である一枚のシートとして、熱可塑性樹脂材料であるプラスチックを使用することからすれば押え板（１）であるシートを慣用の真空成形、加圧成形、二次加工等のような成形方法により一体成形をすることができる。又は、別体成形として、予め円柱形状に成形した部品を押え板（１）に接着、融着、ネジ固定のような任意の方法で取り付けるという、いわゆる別体成形を採用することも可能である。
【００２４】
この円柱形状突出部の大きさは、任意に設計できるが、円柱の直径又は寸法が２５〜３５ｍｍ、好ましくは３２ｍｍ程度であることが好ましい。この円柱形の高さは、２〜１０ｍｍ程度あれば足りる。この円柱構造は、薄いシートから成形されたにもかかわらず、力学的な構造から、押圧力（Ｐ）に耐える強度を有する。具体的には、板体の厚さを考慮すれば、それを加算または減算した大きさでこの円柱の規模は設計することができる。
これらの一体成形または別体成形は、材料、生産、設備の事情を考慮して任意に採用する技術事項である。同様に、押え板（１）、目安板（２、４２）として薄い板又はシートを使用することからすれば、発泡体、非発泡体、薄型というような、比較的軽量であり、省資源であり、押圧による変形防止などを考慮すれば、材料面からの検討は勿論のこと、押え板（１）である薄い板又はシートの周辺部に折り曲げ部（１１）、もしくはリブなどを設けて、立体的に構造的な強度を賦与することが好ましい。
【００２５】
図１（ｃ）に示すとおり、この押圧部（３）の突出形態（３１）の先端に緩衝層（３２）が任意に配置されてなる押圧部が形成されてなる構造からなり、この円柱形状の突出形態（３１）の先端部には滑り止、緩衝の役割を果たす緩衝層（３２）が配置されており、さらに、図７、図１０にも示すように、ガーゼ（８）などの医療用材料の滑りや、偏り、押圧の偏在などを防止するという、患部に安定に固定するという補助部の役割を果たす。緩衝層を構成する材料は、エラストマー樹脂、柔軟性軟質プラスチック、柔軟性軟質ゴム、柔軟性軟質ゴムスポンジ、樹脂発泡体、布、不織布、圧縮綿などの滑り止め機能や緩衝機能を備えた材料であることが好ましく、特にこれに限定されるものではない。緩衝層の大きさは、厚さが１〜６ｍｍ程度、直径または寸法は円柱の上面の面積、形状に略適合する大きさであるが、通常は１０〜３５ｍｍあれば十分であり、円柱上面の略全面を覆うことが好ましい。この緩衝層（３２）自体に弱い粘着性を持たせることが好ましいが、材料的に無理な場合には、エラストマーのような粘着性樹脂またはエラストマーを緩衝層（３２）に塗布又はコートすることにより粘着性を賦与することができるが、これらの仕様は設計変更の範囲内で任意に調整できることである。
【００２６】
この押え板（１）の長手方向の両端部には、固定材料であるベルト、帯体、または面ファスナーなどにより被着体に固定する為の固定用スリット（１３）が設けられており、安定にしかも容易に固定できるようになっており、詳細には、図３、図７、図１０に示す態様で、固定具により被着体、例えば腕などを包んだ状態にして容易に固定することができる。
その際に、押圧程度は、図２及び図３に示す、目安板（２）の標識（２１）に対する、押え板（１）の撓みを照合して、押圧を秤量する。
【００２７】
本考案の圧力センサー付止血用具の具体的な使用形態を、図３及び図７に基づいて示すと、透析用の穿刺孔は、ガーゼ（８）と粘着テープ（絆創膏等）（５）で仮止め処置をし、その上から押圧部（３）により押圧して止血をする。押圧部（３）は、押え板（１）の腕に接する側の中央部に一体成形により設ける。押え板の機能を果たす押え板（１）の形状としては、長方形状が最も簡単な形状である。押え板（１）が撓んでそのバネ力により押圧部（３）を真下に押し下げる押圧力（Ｐ）を生じるような形状であれば任意の形状にすることができる。非伸縮性の面ファスナー等により腕に圧接固着すると、押え板（１）が撓んでそのバネ力により押圧部（３）を真下に押し下げる押圧力（Ｐ）を生じると同時に、腕と押え板（１）との間には空間が形成される。この空間ができることにより、静脈血流を停滞させることが無く、鬱血しにくい。即ち、押圧部（３）は、垂直方向から、一定の圧力で、均一に押すという、指の代用品としての機能を持つとともに、その押圧を簡単な操作で容易に秤量できるので、医療現場で簡便に適正な押圧力（Ｐ）を決めることができる。
【００２８】
押え板（１）および目安板（４２）は、可撓性の剛性材料であって、着脱自在に腕に圧接して取付けられる押圧部（３）を押圧して穿刺傷部の上から十分な圧迫力を加えるための支持板やバネ板としても機能するため、ある程度の強度を有する硬質材が用いられる。押え板（１）および目安板（２、４２）は、透明、半透明又は着色された硬質または軟質材であれば特に制限無く用いることが出来る。例えば、具体的には、ポリカーボネート樹脂、ポリエステル樹脂、ポリオレフィン樹脂、エポキシ樹脂、フェノール樹脂、アクリル樹脂、塩化ビニル樹脂等々といった硬質樹脂、アルミニウム、チタンといった金属、木材、厚紙、紙、パーティクルボードが挙げられる。なかでも、エンジニアリングプラスチックからなる硬質樹脂、例えば、ポリエチレンテレフタレート樹脂のようなポリエステル樹脂、脂肪族または芳香族ポリカーボネート樹脂、エポキシ樹脂などのプラスチックが好ましく用いられる。特に、ポリカーボネート樹脂が最も好ましい。該樹脂中に、抗菌剤、着色剤、香水、ラベンダー等の植物精油、芳香剤、安定剤といった薬剤を添加混合することができる。
【実施例】
【００２９】
次に、本考案を実施するに於ける、最も典型的な実施形態を、図面を参考にして示す。
図１、図５に示されている本考案の剛性板体である押え板（１）は、縦３５ｍｍ、横約１１０ｍｍ、厚さ２ｍｍであるポリカーボネート樹脂板からなり、この剛性部材の裏面、即ち、肌に接する側の中心部には図１、図５にあるように、直径３．２ｃｍ、高さ０．５ｃｍの円柱形をした突出形態が慣用の加圧成形手段により一体形成されている。突出形態の表面には、緩衝層として、直径３．０ｃｍ、高さ０．４ｃｍの円柱形状をした圧縮綿を貼付ける。一方、目安板（２、４２）として、押え板（１）の長手方向の寸法と略同じ１１０ｍｍで、縦７ｍｍ程度であり、その目安板（２，４２）の両端部に、押え板（１）の長手方向の一辺から直角方向に９ｍｍ程度伸びる標識表示部を一体型又は別体型として成形し、その標識表示部に、色彩豊かな３段階表示、例えば赤、黄、青のような標識（２１）を記入する。
【００３０】
別体型圧力センサー付止血用具の製作にあっては、次いで、この押え板（１）と目安板（４２）は、図６に示すように結合部（４）で重ねて、簡単に例えば、ネジ孔（４３，４４）にネジ止めをして一体とすることにより、圧力センサー付止血用具を製作する。
次に、圧力センサー付止血用具を、透析用の穿刺孔は、ガーゼ（８）と粘着テープ（絆創膏等）（５）で仮止め処置をした上に押し当て、面ファスナーにより腕に巻きつけ固定する。こうすることで、巻き付け強度、即ち押圧Ｐを容易に表示、測定することができる。
この場合に、押え板（１）の材料および厚さに応じた、押え板（１）の撓み量（Δｌ）と押圧力（Ｐ）の関係を予め秤量しておき、最も適正な押圧力（Ｐ）を予め測定をしておき、撓み量（Δｌ）に応じた適正な押圧力（Ｐ）の関係を、標識（２１）として表示して、容易に照合できるようにする。
【００３１】
そして、圧力センサーの他の実施態様としては、図８に示したように、長方形の押え板（１）のそれとほぼ半分未満で一致する長方形の目安板（４２）が、押え板（１）と別に成形加工されることにより製造される。それを図９のように組み立てる、いわゆる別体型のものである。押え板（１）には、別に加工された目安板（４２）が、押え板（１）の端部で重なるように設計されており、横約５５ｍｍ、縦約３５ｍｍで程度である。その重なりは、容易に離反しないように、例えば、ネジ孔（４３，４４）を設けて固着具、例えば、ネジによりネジ留めすることにより一体結合する。固着具としては、他に接着剤、融着、錨、などにより容易に結合部（４）で接合して一体化する。
図９の圧力センサー付止血用具の断面図に示すとおり、長方形の可撓性の押え板（１）の中央位置に円柱形状突出形態からなる押圧部（３）が形成された構造からなっており、結合部（４）で接合一体化した目安板（４２）には、その直角方向に伸びる側壁の端部に標識（４１）が形成されている。
図１０に示すとおり、可撓性押え板（１）の撓み位置と目安板（４）の標識位置のずれの間隔（Δｌ）の値の表示により押圧力（ΔＰ）を定量する構造からなる押圧力表示付止血用具である。この場合も同様に、押え板（１）の材料および厚さに応じた、押え板（１）の撓み量（Δｌ）と押圧力（Ｐ）の関係を予め秤量して決めておき、撓みにより生じる最も適正な押圧力（Ｐ）を予め決めておき、撓み量（Δｌ）に応じた適正な押圧力（Ｐ）の関係が容易に標識できるように、標識（４１）部に押圧力（Ｐ）のレベルを印字または刻印により表示することにより、傾斜角を利用して容易に照合できるようにすることが好ましい。
本考案を実施例にて説明をしたが、本考案はこの実施態様に限定されるものではない。
【産業上の利用可能性】
【００３２】
本考案の押圧力表示付止血用具は、穿刺孔の上から押圧して止血をするという押圧部からのみの押圧力により止血するものであって、しかも適正な押圧状態を表示すことができるものであるから、適正な押圧状態で止血すれば、腕を必要以上に締め付けることがないため、体にとって優しく使い勝手の良いものである。繁雑な医療現場のスタッフでも、誤認することなく適正な押圧状態で容易に取り付け使用することができるため、血液透析を行う患者さんにとっては、簡便かつ安心して利用できるものである。加えて安価に製造できる。したがって、医療現場の作業を安全に、信頼でき、しかも省力的に遂行できるので、医療産業の進展に寄与する可能性を有するものである。
【符号の説明】
【００３３】
Ｐ  ・・・・・・  押圧
Δｌ（Δエル）・・  押え板の撓み
１  ・・・・・・  押え板
１１  ・・・・・  折り曲げ部
１２  ・・・・・  切り欠き部
１３  ・・・・・  固定用スリット（穴）
２  ・・・・・・  目安板（一体型）
２１  ・・・・・  標識
３  ・・・・・・  押圧部
３１  ・・・・・  突出形態
３２  ・・・・・  緩衝層
４  ・・・・・・  結合部
４１  ・・・・・  標識
４２  ・・・・・  目安板（別体型）
４３，４４  ・・  ネジ孔
４５  ・・・・・  ネジ
５  ・・・・・・  粘着テープ／絆創膏
６  ・・・・・・  面ファスナー
７  ・・・・・・  プロテクター（保護板）
８  ・・・・・・  ガーゼ
９  ・・・・・・  包被体（腕）
【図１】
0003190161.tif 000003
【図２】
0003190161.tif 000004
【図３】
0003190161.tif 000005
【図４】
0003190161.tif 000006
【図５】
0003190161.tif 000007
【図６】
0003190161.tif 000008
【図７】
0003190161.tif 000009
【図８】
0003190161.tif 000010
【図９】
0003190161.tif 000011
【図１０】
0003190161.tif 000012